(57)【特許請求の範囲】
【請求項１】
電子部品を搭載した複数の部品供給カセットが着脱自在にセットされたフィーダバンクと、前記フィーダバンクを着脱可能に載置する一括交換台車と、部品実装機本体に設けられフィーダバンクを所定位置と一括交換台車上に上下動するバンク位置決め手段と、一端をフィーダバンクの下部に回動可能に支持し自由端を一括交換台車の補強枠上に当接した安全カバーとを備えた電子部品供給装置。
【発明の詳細な説明】
【０００１】
【産業上の利用分野】
この発明は、電子部品実装装置において、その装置本体に電子部品を一括して供給、交換する電子部品供給装置に関し、特に作業者の安全を確保する手段に関するものである。
【０００２】
【従来の技術】
従来から、電子部品供給テープフィーダは、フィーダバンク上に着脱可能に取付けられ、このフィーダバンクごと電子部品供給テープフィーダを交換するために、一括交換台車にフィーダバンクを載せ、電子部品実装装置本体にフィーダバンクを取付けていた。
図４は、従来の一括交換台車の構成を示すものである。１はフィーダバンク、２はフィーダバンク１を固定するシリンダーで、プランジャー２Ａに取付けた位置決めユニット３を上下動し、位置きめユニット３に固定したピン４をフィーダーバンク１の底部１Ａに開けたピン孔１Ｈに挿入することでフィーダバンク１の電子部品実装機本体５からの脱着と位置決めを行っている。
そして、このシリンダー２は電子部品実装装置本体５に固定されている。
６は一括交換台車で、車輪７により移動可能になっている。そして、この一括交換台車６には補強のための補強枠８が設けられている。
この一括交換台車６において、電子部品実装装置本体５に、フィーダバンク１を取付ける場合、所定の位置まで一括交換台車６を移動してセットし、次いでシリンダー２を作動する。するとフィーダバンク１が所定の位置まで持ち上げられると共にピン４がピン孔１Ｈに挿入され、フィーダバンク１は所定の高さ及び位置きめユニット３の所定位置に固定され、電子部品の実装動が作可能な状態となる。
また、生産変更などによる段取り換えにより、テープフィーダＴを一括して交換するために一括交換台車６をはずす場合は、シリンダー２をＯＦＦにすると、位置決めユニット３が下降しピン４がピン孔１Ｈから外れると共に、フィーダバンク１が一括交換台車６上に載置され、フィーダバンク１を一括交換台車６と共に電子部品実装装置本体５から取り外し、新しいテープフィーダＴと一括交換する。
【０００３】
【発明が解決しようとする課題】
フィーダバンク１を交換する際にフィーダバンク１が上下動するため、一括交換台車６の補強枠８とフィーダバンク１の底面１Ａとの間にどうしても隙間Ｓが生じ、特にフィーダバンク１が下降する時に、修理工具などがフィーダバンク１の底面と補強枠６との間に挟まりやすくなり、フィーダバンク１の正確な位置きめができないという問題点があった。
また、フィーダバンク１が最上昇位置にある時は、補強枠６とフィーダバンク１の隙間が最大になるためこの隙間の間から誤まって、修理工具などが落下しやすいという問題点があった。
【０００４】
この発明は、このような問題点を解決するためになされたものであり、修理工具などのフィーダバンクと一括交換台車との隙間からの侵入を防止すると共に、修理工具などが補強枠の上に位置しないように自動的に補強枠から排除可能にした電子部品供給装置を提供することを目的とする。
【０００５】
【課題を解決するための手段】
上記目的を達成するため、この発明の請求項１の電子部品供給装置は、電子部品を搭載した複数の部品供給カセットが着脱自在にセットされたフィーダバンクと、前記フィーダバンクを着脱可能に載置する一括交換台車と、部品実装機本体に設けられ、フィーダバンクを所定位置と一括交換台車上に上下動するバンク位置きめ手段と、一端をフィーダパンクの下部に回動可能に支持し、自由端を一括交換台車の補強枠上に当接した安全カバーとを備えた構成を有する。
【０００６】
この構成によれば、フィーダバンクの装置本体５への取り付け時には、フィーダバンク１が最上昇位置にあるため、安全カバーの傾斜面も急になり工具などが安全カバーの上に乗ることはなく傾斜面により一括台車下方へ転がり落ちる。
また、フィーダバンクの一括台車への載置時には、安全カバーの自由端が補強枠と当接しながら滑るようにして緩やかな傾斜面で補強枠とフィーダバンクとの隙間を覆うので、たとえ、補強枠などに修理工具などが誤まっておかれていたとしても安全カバーにより排除される。
【０００７】
【発明の実施の形態】
以下図面を参照して、この発明の一実施形態に係る電子部品装着装置を説明する。
図１、図２は電子部品装着装置の部分断面側面図である。図１は電子部品実装機本体５への装着前の状態を示し、図２は装着後の状態を示す。
図１、図２において、９は周知のフィーダーバンクで、このフィーダバンク９には、部品供給カセットとしての複数の電子部品テープフィーダ１０が脱着自在に多数並列して装着されている。１１は前記フィーダバンク９を載置し運搬する一括交換台車で、図３に示すようにコ字状枠体で構成され、底部には４つの車輪１２が設けてあり、電子部品実装機本体５から分離移動できるようになっている。この一括交換台車１１の上枠下部には図３に示すように、補強のための補強枠１１Ａが設けられている。そして、前記フィーダバンク９はこの一括交換台車１１の上部の所定位置に載置されている。尚、１２は一括交換台車１１の底部に設けた車輪である。
１４は部品実装機本体５に設けたバンク位置決め手段としての位置決めユニットで、部品実装機本体５の定められた位置にフィーダバンク９を位置決め固定するものである。この位置決めユニット１４は、シリンダ１５とシリンダ１５のプランジャ１５Ａに固定したフィーダバンクの支持台１６と、支持台１６に突設したピン１７とより構成される。
この位置きめユニット１４は、フィーダバンク９の下方部両側部に夫々配置されている。
尚、前記シリンダー１５に代えてモータによるボールネジの上下動、あるいはモータによるラックアンドピニオンにより支持台１６を上下動してもよい。
９Ａはフィーダバンク９の底面に開口した前記ピン１７が挿入するピン孔で、このピン１７がピン孔９Ａに挿入することで、フィーダバンク９の部品実装機本体５に対する高さ方向と縦横方向の位置合わせがなされる。
１８はフィーダバンク９の底部に一端をヒンジ１９で回動可能に支持し、他端に自由端部１８Ｆを形成した安全カバーで、自由端部１８Ｆは前記補強枠１１Ａの上面に当接してある。
従って、フィーダバンク９が上下動すると安全カバー１８は、補強枠１１Ａ上を摺動することになる。
尚、この安全カバーの材質として、金属部材を用いたが、合成樹脂、ゴム板を用いてもよい。
【０００８】
次にこの発明の一実施形態の作用を説明する。
作業者が、新たな部品供給カセットとしてのテープフィーダ１０を一括して部品実装機本体５に取付けるには、フィーダバンク９上に新たなテープフィーダ１０が装着された一括交換台車１１を部品実装機本体５の所定位置にセットする。
すると、ピン１７の真上位置にフィーダバンク９のピン孔９Ａが位置した状態で一括交換台車１１が位置することになる。
その後、作業者がシリンダ１５の動作スイッチ(不図示)を押すと、シリンダ１５が上昇し、ピン１７がピン孔９Ａに挿入されると共にフィーダバンク９が上昇し一括交換台車１１上から離れ所定の高さにセットされる。
この時、安全カバー１８はフィーダバンク９の上昇と共に、その傾斜が徐々にきつくなり、安全カバー上に作業工具等が放置されるのを防止でき、フィーダバンク９の下降時に作業工具がフィーダバンクと補強枠との間に挟まるのを防止できる。
次に、部品実装機本体５から、テープフィーダ１０を一括して引出すためには、シリンダ１５の動作スイッチをＯＦＦする。すると、シリンダ１５が下降してフィーダバンク９が一括交換台車１１上に載置される。そして、ピン１７がピン孔９Ａから抜かれる。
この時、安全カバー１１は、その自由端部１８Ｆが補強枠１３上を摺動しながら徐々に傾斜が弱くなり移動するので、誤まって作業者が補強枠１３上に手を掛けていたとしても、安全カバー１１の移動でフィーダバンクの下降を確認できる。従って、フィーダバンク９と手との接触を事前に防止できる。
【０００９】
【発明の効果】
以上説明したとおり、この発明によれば、フィーダバンクを電子部品実装機本体から一括交換台車上に取出す時には、安全カバーが補強枠上の作業工具などを排除するので、作業工具などがフィーダバンクと補強枠との間に挟まれ、フィーダーバンク等の破損を防止すると共に、フィーダバンクを電子部品実装機本体に一括交換台車から装着する時には、安全カバーが補強枠上を移動するので、補強枠上に手を置いていたとしても、安全カバーの移動によって、フィーダバンクの下降を事前に体感することができる。という効果を奏する。
【図面の簡単な説明】
【図１】この発明の一実施の形態に係る電子部品供給装置の部分断面側面図。
【図２】この発明の一実施の形態に係る電子部品供給装置の部分断面側面図。
【図３】この発明の一実施例の形態に係る電子部品供給装置の簡略斜視図。
【図４】従来の電子部品供給装置の部分断面側面図。
【符号の説明】
５      部品実装機本体
フィーダーバンク
１０    テープフィーダ（部品供給カセット）
１１    一括交換台車
１１Ａ  補強枠
１４    位置決めユニット（バンク位置決め手段）
１８    安全カバー
【図１】
0004540877.tif 000002
【図２】
0004540877.tif 000003
【図３】
0004540877.tif 000004
【図４】
0004540877.tif 000005